(57)【要約】【課題】建設機械のキャブ天井付近において他の部品との共存を可能としつつ、運転員の居住空間を確保することが可能な建設機械のキャブサンシェード構造の提供。【解決手段】  建設機械のキャブ上部左右両側において前後方向に延びる左右の天井梁材４Ｌ，４Ｒの間に天窓５が設けられている。キャブ上部左右両側のうち一方の側部において、天窓５と天井梁材４Ｌとの間に空間Ｓを形成し、空間Ｓにロールブラインド１０の巻取部１１を配置する。また、他方の側部において、ロールブラインド１０を引き出した状態で保持する保持部材１５を設ける。【選択図】図５
2014190086.tif 000002
【特許請求の範囲】
【請求項１】
建設機械のキャブに設けられるサンシェード構造であって、
キャブ上部左右両側において前後方向に延びる左右の天井梁材の間に天窓が設けられ、
前記キャブ上部左右両側のうち一方の側部において、前記天窓と前記天井梁材との間に空間を形成し、前記空間にロールブラインドの巻取部を配置するとともに、
他方の側部において、前記ロールブラインドを引き出した状態で保持する保持部材を設けたことを特徴とする建設機械のキャブサンシェード構造。
【請求項２】
前記天窓は、前記天井梁材の上面よりも一段下がった位置に設けられていることを特徴とする請求項１に記載の建設機械のキャブサンシェード構造。
【請求項３】
前記ロールブラインドの巻取部は、運転員の着座位置から見て、作業アタッチメントがある側とは反対側の側部に配置されていることを特徴とする請求項１又は２に記載の建設機械のキャブサンシェード構造。
【請求項４】
前記ロールブラインドの巻取部は、上下方向に関して、乗降口開口の上端よりも上側に位置していることを特徴とする請求項３に記載の建設機械のキャブサンシェード構造。
【発明の詳細な説明】
【技術分野】
【０００１】
本発明は、油圧ショベル等の建設機械のキャブに設けられるサンシェード構造に関する。
【背景技術】
【０００２】
油圧ショベル等の建設機械において、運転室（キャブ）の屋根部に透明板を有する天窓を設け、屋根部内には天窓の両側において前後方向にガイドレールを設け、ガイドレールに対して遮光板（サンシェード）を移動可能に設けたものが知られている（例えば、特許文献１参照。）。
【先行技術文献】
【特許文献】
【０００３】
【特許文献１】実用新案出願公開昭６０−１８４７２０号公報
【発明の概要】
【発明が解決しようとする課題】
【０００４】
しかし、特許文献１に記載の構造では、運転室内の屋根部の下側において遮光板が前後に移動するスペースが必要であるため、他の部品をキャブ天井の室内に配置することが困難であった。そのため、例えば天窓を払拭する天井ワイパのモータをキャブ上部の室外に配置すると、天井ガードを含めた全高が高くなってしまうという問題があった。更に、運転員の居住空間が十分確保できないという問題があった。
【０００５】
そこで本発明は、建設機械のキャブ天井付近において他の部品との共存を可能としつつ、運転員の居住空間を確保することが可能な建設機械のキャブサンシェード構造を提供することを目的とする。
【課題を解決するための手段】
【０００６】
上記目的を達成するために、本発明は、建設機械のキャブに設けられるサンシェード構造であって、キャブ上部左右両側において前後方向に延びる左右の天井梁材の間に天窓が設けられ、前記キャブ上部左右両側のうち一方の側部において、前記天窓と前記天井梁材との間に空間を形成し、前記空間にロールブラインドの巻取部を配置するとともに、他方の側部において、前記ロールブラインドを引き出した状態で保持する保持部材を設けた建設機械のキャブサンシェード構造を提供している。
【０００７】
ここで、前記天窓は、前記天井梁材の上面よりも一段下がった位置に設けられているのが好ましい。
【０００８】
また、前記ロールブラインドの巻取部は、運転員の着座位置から見て、作業アタッチメントがある側とは反対側の側部に配置されているのが好ましい。
【０００９】
更に、前記ロールブラインドの巻取部は、上下方向に関して、ドア開口の上端よりも上側に位置しているのが好ましい。
【発明の効果】
【００１０】
請求項１記載の建設機械のキャブサンシェード構造によれば、キャブ上部左右両側のうち一方の側部における天窓と天井梁材との間の空間にロールブラインドの巻取部を配置するとともに、他方の側部に保持部材を設けたため、他の部品をキャブ天井付近の室内に配置することが可能となる。更に、運転員の居住空間を十分確保することができる。
【００１１】
請求項２記載の建設機械のキャブサンシェード構造によれば、天窓は、天井梁材の上面よりも一段下がった位置に設けられている。このため、天窓と天井梁材とをつなぐルーフパネルと天井梁材との間に空間が形成され、この空間にロールブラインドの巻取部を配置することができ、天井梁材付近の空間を効率的に利用することができる。
【００１２】
請求項３記載の建設機械のキャブサンシェード構造によれば、ロールブラインドの巻取部は、運転員の着座位置から見て、作業アタッチメントがある側とは反対側の側部に配置されているため、運転員が作業アタッチメントを見ながら作業を行う際に視界の妨げとなることを抑制できる。
【００１３】
請求項４記載の建設機械のキャブサンシェード構造によれば、ロールブラインドの巻取部は、上下方向に関して乗降口開口の上端よりも上側に位置している。つまり巻取部が乗降口開口に張り出さないため、運転員がキャブに乗降する際に邪魔になりにくい。
【図面の簡単な説明】
【００１４】
【図１】本発明の実施形態による建設機械（油圧ショベル）の外観を示す概略側面図。
【図２】図１の油圧ショベルのキャブを示す概略斜視図。
【図３】図１の油圧ショベルのキャブ上部を示す斜視図。
【図４】図３のＡ−Ａ線断面図。
【図５】ロールブラインドが巻き取られた状態（開き状態）を示す、図３のＢ−Ｂ線断面図。
【図６】ロールブラインドが巻き取られた状態で、キャブ内部からキャブ天井側を見た図。
【図７】ロールブラインドが引き出された状態（閉じ状態）を示す、図３のＢ−Ｂ線断面図。
【図８】ロールブラインドが引き出された状態で、キャブ内部からキャブ天井側を見た図。
【発明を実施するための形態】
【００１５】
本発明の実施形態による建設機械のキャブサンシェード構造について説明する。本実施形態では、建設機械の一例として、油圧ショベルを例にとって説明する。まず、油圧ショベル１の全体及びキャブ４の概略構造について図１から図３に基づき説明する。なお、以下の説明において、キャブ４内に着座した運転員を基準として前後左右の各方向を定義する。
【００１６】
油圧ショベル１は、図１に示すようにクローラ式の下部走行体２Ａと、この下部走行体２Ａ上に鉛直軸まわりに旋回自在に搭載された上部旋回体２Ｂと、この上部旋回体２Ｂの前部に装着された作業アタッチメント３とによって構成される。上部旋回体２Ｂにはキャブ（運転室）４が設けられ、このキャブ４内で旋回、走行、アタッチメント作動の各操作が行われる。
【００１７】
図２に示すように、キャブ４の上部左右両側には、キャブ４の骨格の一部として、前後方向に延びる左右の天井梁材（ピラー）４Ｌ，４Ｒが構成され、これら天井梁材４Ｌ，４Ｒの間には、上方視界を確保するための透明板からなる天窓５が設けられている。
【００１８】
キャブ４の左側には、運転員が乗降するためのドア６が開閉可能に設けられている。一方、作業アタッチメント３は、キャブ４の右側に位置している。なお、図２ではドア６の図示を省略している。
【００１９】
また、天窓５を含めたルーフ４Ａを落下物から保護するための前側ガード７及び後側ガード８がルーフ４Ａ上に取り付けられており、このうち前側ガード７は、天窓５を覆う閉じ姿勢（図１、図３）と天窓５の上方を開放する開き姿勢（図２）との間で開閉可能である。
【００２０】
このように油圧ショベル１には天窓５が設けられており、キャブ４内には主に運転員を日差しから保護するためのキャブサンシェード構造が設けられている。本実施形態によるキャブサンシェード構造について、図４から図８に基づき説明する。なお、図４は図３のＡ−Ａ線断面図であり、図５及び図７は図３のＢ−Ｂ線断面図である。
【００２１】
キャブ４内の天井付近には、天窓５に沿って左右方向に開閉可能なロールブラインド１０が設けられており、キャブ上部の左側にロールブラインドの巻取部を配置するとともに右側に保持部を配置している。
【００２２】
より具体的に説明する。図５に示すように、左右の天井梁材４Ｌ，４Ｒは、それぞれ異型の閉断面を有する部材である。各天井梁材４Ｌ，４Ｒの上面には、ルーフ４Ａの一部を構成するルーフパネル４Ｂが溶接等により接合されている。ルーフパネル４Ｂは、天井梁材４Ｌ，４Ｒとの接合部４Ｂ１から断面略Ｓ字状をなすようにして斜め下方へ延び、そして、斜め下方に延びる部分４Ｂ２から水平方向に曲げられた他端部４Ｂ３において、天窓５が接着されている。このような構造のため、天窓５は、天井梁材４Ｌ，４Ｒの上面（最も高い位置にある面）よりも一段下がった位置にある。
【００２３】
キャブ４の上部の左側（即ちドア６がある側）の側部において、天窓５と天井梁材４Ｌとの間に、天井梁材４Ｌとルーフパネル４Ｂとで囲まれた空間Ｓが形成され、この空間Ｓにロールブラインド１０の巻取部１１が配置されている。巻取部１１の下方には目隠し用のパネル４Ｃが配置されており、この目隠しパネル４Ｃとルーフパネル４Ｂとの間の隙間からブラインド生地１２が引き出される。
【００２４】
ブラインド生地１２の先端近くには長尺状のフレーム１３が取り付けられており、運転員はフレーム１３又はその更に先端側にある摘み部１４を持つことによってロールブラインド１０を開閉することができる。なお、ロールブラインド１０の構造は公知であるから詳細な説明は省略するが、巻取部１１には図示しないコイルバネが内蔵されており、フレーム１３側を保持しない状態では当該コイルバネの付勢力によって巻取部１１にブラインド生地１２が巻き取られて格納される。
【００２５】
一方、キャブ４上部の右側のルーフパネル４Ｂには、ロールブラインド１０のブラインド生地１２を引き出した状態（閉じ状態）で保持する保持部材１５が取り付けられている。この保持部材１５にフレーム１３を引っかけることによって閉じ状態を保持するようになっている。
【００２６】
なお、左右の天井梁材４Ｌ，４Ｒには、開閉式の前窓に設けられたガイドローラ（図示せず）をガイドするためのガイドレール４Ｄが固定されており、このうち左側上部のガイドレール４Ｄは、上記空間Ｓ内であって天井梁材４Ｌと巻取部１１との間に位置している。
【００２７】
本実施形態において、ロールブラインド１０の巻取部１１は、運転員の着座位置から見て左側、即ち作業アタッチメント３がある側とは反対側の側部に配置されている。また、図５に示すように、巻取部１１は、上下方向に関して、ドア開口（乗降口開口）Ｔの上端（即ち天井梁材４Ｌの下端）よりも上側に位置している。つまり、巻取部１１は、ドア開口Ｔに張り出していない。
【００２８】
また、図４に示すように、油圧ショベル１には、天窓５を払拭する天井ワイパ２１が装備されている（図４の断面図では、天井ワイパ２１は一部のみ見えている）。この天井ワイパ２１を動作させるモータ２２は、キャブ４室内側に設けられている。より具体的には、図８に示すように、モータ２２は、引き出されたロールブラインド１０（ブラインド生地１２）の後方右側に配置されている。
【００２９】
更に、図６、図８に示すように、キャブ４内天井付近であってモータ２２の更に後方には、左右一対のスピーカ２３が配置されている。
【００３０】
上述したように、本実施形態による建設機械のキャブサンシェード構造によれば、キャブ４の上部左右両側のうち左側の側部における天窓５と天井梁材４Ｌとの間の空間Ｓにロールブラインド１０の巻取部１１を配置するとともに、右側の側部に保持部材１５を設けている。このため、天井ワイパ２１のモータ２２及びスピーカ２３といった他の部品をキャブ天井付近の室内側に共存させることが可能となる。更に、運転員の居住空間を十分確保することができる。
【００３１】
一方、上記先行技術（実用新案出願公開昭６０−１８４７２０号公報）の構成では、遮光板を前後に移動させるスペースを必要とするため、ワイパモータ等を室内の天井付近に配置することは困難である。また、例えばロールブラインドの巻取部をキャブ後方天井付近に配置してブラインドを前方に引き出す構成も考えられるが、この構成では巻取部を配置するスペースが天井付近に別途必要となり、スペース効率の点で劣る。
【００３２】
また、本実施形態による建設機械のキャブサンシェード構造によれば、天窓５を払拭する天井ワイパ２１のモータ２２を室内側に配置している。このため、モータ２２をキャブ上部の室外に配置して例えば天井ガードを含めた全高が高くなってしまうという問題を回避できる。
【００３３】
また、本実施形態による建設機械のキャブサンシェード構造によれば、天窓５は、天井梁材４Ｌの上面よりも一段下がった位置に設けられている。これにより、天窓５及び天井梁材４Ｌをつなぐルーフパネル４Ｂと天井梁材４Ｌとの間に空間Ｓが形成される。この空間Ｓにロールブラインド１０の巻取部１１を配置することができるため、天井梁材４Ｌ付近の空間を効率的に利用することができる。
【００３４】
更に、本実施形態による建設機械のキャブサンシェード構造によれば、ロールブラインド１０の巻取部１１は、運転員の着座位置から見て、作業アタッチメント３がある側（右側）とは反対側の側部（左側）に配置されている。このため、運転員が作業アタッチメント３を見ながら作業を行う際に視界の妨げとなることを抑制できる。
【００３５】
更に、本実施形態による建設機械のキャブサンシェード構造によれば、ロールブラインド１０の巻取部１１は、上下方向に関してドア開口Ｔの上端よりも上側に位置している。つまり巻取部１１がドア開口Ｔに張り出さないため、運転員がキャブ４に乗降する際に邪魔になりにくい。
【００３６】
本発明による建設機械のキャブサンシェード構造は上述した実施形態に限定されず、特許請求の範囲に記載した範囲で種々の変形や改良が可能である。
【００３７】
例えば、上述した実施形態では、キャブ４の上部の左側（乗降口側）にロールブラインド１０の巻取部１１を配置するとともに右側（作業アタッチメント３がある側）に保持部材１５を配置したが、巻取部及び保持部材の配置を左右反対にしてもよい。
【００３８】
また上述した実施形態では、キャブ天井付近に設けられる他の部品として天井ワイパ２１のモータ２２及びスピーカ２３を例示したが、これら以外の部品であってもよい。
【産業上の利用可能性】
【００３９】
以上のように本発明にかかる建設機械のキャブサンシェード構造は、建設作業等に使用される油圧ショベル等の建設機械においてキャブ内の運転員等を日差しから保護するためのキャブサンシェード構造として有用である。
【符号の説明】
【００４０】
１  油圧ショベル、  ２Ａ  下部走行体、  ２Ｂ  上部旋回体、  
３  作業アタッチメント、  ４  キャブ、  ４Ａ  ルーフ、  
４Ｂ  ルーフパネル、  ４Ｂ１  接合部、  ４Ｂ２  部分、  ４Ｂ３  他端部、
４Ｃ  パネル、  ４Ｄ  ガイドレール、  ４Ｌ，４Ｒ  天井梁材、
５  天窓、  ６  ドア、  ７  前側ガード、  ８  後側ガード、
１０  ロールブラインド、  １１  巻取部、  １２  ブラインド生地、
１３  フレーム、  １４  摘み部、  １５  保持部材、
２１  天井ワイパ、  ２２  モータ、  ２３  スピーカ。
【図１】
2014190086.tif 000003
【図２】
2014190086.tif 000004
【図３】
2014190086.tif 000005
【図４】
2014190086.tif 000006
【図５】
2014190086.tif 000007
【図６】
2014190086.tif 000008
【図７】
2014190086.tif 000009
【図８】
2014190086.tif 000010